(57)【特許請求の範囲】
【請求項１】
負の屈折力を有する対物レンズと正の屈折力を有する接眼レンズとを同軸上に配置して構成され、前記対物レンズは、直方体状をしたレンズ基部の像側の面に球面状または非球面状のレンズ面を凹状に形成してなるとともに、平面状に形成された下周面が前記レンズ面と交叉する逆ガリレオ式ファインダーにおいて、
遮光性を有し、前記対物レンズの左右方向に延びた帯状の遮光板を、前記レンズ面の下端部に対向させ、かつ対物レンズの下周面とレンズ面とからなる稜線に沿うように光軸方向に湾曲させて配置し、対物レンズの下周面で反射した光の光路を遮るとともに、前記遮光板の高さを、対物レンズの下周面の光軸方向での長さが長い領域ほど高くなるようにして左右方向で変化させたことを特徴とする逆ガリレオ式ファインダー。
【発明の詳細な説明】
【０００１】
【発明の属する技術分野】
本発明は、像側の面に球面状または非球面状のレンズ面が凹状に形成された対物レンズを用いる逆ガリレオ式ファインダーに関するものである。
【０００２】
【従来の技術】
一般撮影用の写真フイルムとしては、３５ｍｍ幅の写真フイルムを収納した１３５タイプの写真フイルムパトローネが広く利用されているが、最近では、２４ｍｍ幅の写真フイルムを収納した写真フイルムカートリッジが販売されている。２４ｍｍ幅の写真フイルムは、３５ｍｍ幅のものに比較して画面サイズが小さく規定され、これを収納するカートリッジ本体の大きさも小型になっている。したがって、２４ｍｍ幅の写真フイルムを使用するカメラにおいては、３５ｍｍ幅の写真フイルムを使用するものに比較して撮影レンズの焦点距離を短くすることができるため、カメラ全体の薄型化が可能となる。
【０００３】
このような背景から、特に２４ｍｍ幅の写真フイルムを使用するカメラでは、ファインダーの小型化が望まれている。低価格帯のカメラの多くには、逆ガリレオ式ファインダーが搭載されている。逆ガリレオ式ファインダーは、負の屈折力を有する対物レンズと、正の屈折力を有する接眼レンズとを同軸上に配置して構成され、対物レンズを介して得られた被写体の虚像を接眼レンズで拡大して確認するものである。この逆ガリレオ式ファインダーは、接眼レンズの拡大作用によってファインダー倍率を大きくすることができ、しかも簡単な構成でありながらも像が明るく、視野を広くすることができるという利点がある。
【０００４】
逆ガリレオ式ファインダーにおいては、対物レンズの焦点距離をｆ１、接眼レンズの焦点距離をｆ２としたときに、ファインダー倍率βは、式
β  ＝  −ｆ１／ｆ２  ・・・・・（１）
で表される。また、レンズ系全体での厚さＤは、式
Ｄ  ＝  ｆ１＋ｆ２    ・・・・・（２）
により求めることができる。
【０００５】
上記の（１）式および（２）式より、
Ｄ  ＝  ｆ1 ×（１−１／β）  ・・・・・（３）
なる関係式を得ることができる。この関係式（３）より、ファインダー倍率βを変えることなく、レンズ系全体での厚さＤを薄くするためには、対物レンズの焦点距離ｆ１を短くすることが有効な方法であることがわかる。
【０００６】
図４は、逆ガリレオ式ファインダーに用いられる対物レンズの一般的な構成を示すものである。対物レンズ５は、ほぼ直方体状をしたレンズ基部６の像側の面６ｂに、球面状または非球面状のレンズ面７を凹状に形成してなる。レンズ面７は、対物レンズ５の上周面５ａおよび下周面５ｂと交叉するように形成される。この対物レンズ５の焦点距離を短くするためには、レンズ面７の曲率を強くして屈折力を強くすればよい。
【０００７】
ところで、太陽や室内灯などの明るい光源が上方にある場所で写真撮影を行ったときに、フレアといわれる現象が生じることが知られている。この現象は、太陽光等の上方からの強い光が対物レンズの下周面で反射してファインダー視野内に入り込むために生じるもので、ファインダー視野内のコントラストを低下させ、被写体像を観察しづらくする。
【０００８】
このような問題を解決するために、図４に示すように、対物レンズ５の像側に遮光板９を配置する方法がある。遮光板９は対物レンズ５の左右方向に延びた帯状に形成され、レンズ面７の下端部に対向し、かつ対物レンズ５の下周面５ｂとレンズ面７とからなる稜線８に沿うように光軸方向に湾曲させて配置される。対物レンズ５の下周面５ｂで反射した光は、その光路が遮光板９によって遮られ、ファインダー視野内に侵入することが阻まれる。
【０００９】
【発明が解決しようとする課題】
図５に二点鎖線で示したように、対物レンズ５の焦点距離を短くするためにレンズ面７の曲率を強くすると、レンズ面７の周縁部の厚さが増大し、下周面５ｂの中央部での光軸方向における長さＬc と周縁部での長さＬs とで大きな差を生じるようになる。そして図６（Ａ）に示すように、光軸方向における長さが短くなる下周面５ｂの中央部で反射された光は、高さｈの遮光板９によって光路を遮ることができるが、同図（Ｂ）に示すように、長さが増した下周面５ｂの側部で反射された光は遮光板９の上方を通過してしまう。
【００１０】
本発明は上記の事情を考慮してなされたもので、小型化を図りながらも、フレア現象の発生を抑えることができる逆ガリレオ式ファインダーを提供することを目的とする。
【００１１】
【課題を解決するための手段】
上記目的を達成するために、本発明の逆ガリレオ式ファインダーは、遮光性を有し、対物レンズの左右方向に延びた帯状の遮光板を、レンズ面の下端部に対向させ、かつ対物レンズの下周面とレンズ面とからなる稜線に沿うように光軸方向に湾曲させて配置し、対物レンズの下周面で反射した光の光路を遮るとともに、遮光板の高さを、対物レンズの下周面の光軸方向での長さが長い領域ほど高くなるようにして左右方向で変化させたものである。
【００１２】
【発明の実施の形態】
図１は、本発明の逆ガリレオ式ファインダーの構成を示すものである。逆ガリレオ式のファインダー１０は、物体側より順に、負の屈折力を有する対物レンズ１１と正の屈折力を有する接眼レンズ１２とを同軸上に配置して構成される。対物レンズ１１の像側には、遮光性を有する遮光板２０が配置される。対物レンズ１１は、ほぼ直方体状をしたレンズ基部１３の像側の面１３ｂに、球面状または非球面状のレンズ面１４を凹状に形成してなる。レンズ面１４は、対物レンズ１１の上周面１１ａおよび下周面１１ｂと交叉するように形成される。
【００１３】
遮光板２０は、対物レンズ１１の左右方向に延びた帯状に形成される。この遮光板２０は、レンズ面１４の下端部に対向し、かつ対物レンズ１１の下周面１１ｂとレンズ面１４とからなる稜線１５に沿うように、光軸１０ａと平行な向きに湾曲させて配置される。また図２に示すように、遮光板２０は、光軸１０ａに対して垂直方向に位置する中央部での高さＨc が最も低くなっており、中央部から離れるにしたがって高さが増し、対物レンズ１１の下周面１１ｂとレンズ面１４の周縁との交叉位置と対向する両端部での高さＨs が最も高くなるように構成されている。
【００１４】
ここで、図３に示すように、対物レンズ１１の下周面１１ｂによって反射された光の稜線１５上の通過高さＨは、反射位置から稜線１５までの距離に比例し、下周面１１ｂでの反射角度を一定とした場合には、下周面１１ｂの光軸方向における長さが最も短くなる位置で最も低く、下周面１１ｂの光軸方向における長さが長くなるにしたがって通過高さＨも高くなる。したがって、遮光板２０の高さを、下周面１１ｂの光軸方向での長さに応じて変化させれば、対物レンズ１１の左右方向の全域において、下周面１１ｂによる反射光の光路を遮ることが可能となる。
【００１５】
レンズ面１４が凹状に形成された対物レンズ１１の下周面１１ｂの光軸方向における長さは、光軸１０ａに対して垂直方向に位置する中央部で最も短くなる。そして、下周面１１ｂの長さは両側部に向かうにしたがって長くなり、レンズ面１４の周縁と交叉する位置で最も長くなる。そこで、遮光板２０の中央部での高さＨc を最も低くするとともに、中央部から離れるにしたがって高さを増し、レンズ面１４の周縁と下周面１１ｂとの交叉位置に対向する両端部での高さＨs を最も高く構成すれば、稜線１５上での通過高さＨが異なる反射光の光路を確実に遮ることができる。
【００１６】
また、対物レンズ１１の焦点距離を短くするためにレンズ面１４の曲率を強くし、下周面１１ｂの両側部での長さが増加した場合においても、下周面１１ｂの長さの増加分に応じて遮光板２０の高さを高くするだけで反射光の光路を確実に遮り、フレア現象の発生を防止することができる。なお、遮光板２０の中央部および両端部での高さＨc ，Ｈs は、ファインダー視野内に向かう反射光の稜線１５上での通過高さＨよりも僅かに高くなるように、レンズ面１４の屈折力に応じて定めればよい。
【００１７】
【発明の効果】
以上のように、本発明の逆ガリレオ式ファインダーによれば、遮光性を有し、対物レンズの左右方向に延びた帯状の遮光板を、レンズ面の下端部に対向させ、かつ対物レンズの下周面とレンズ面とからなる稜線に沿うように光軸方向に湾曲させて配置するので、対物レンズの下周面で反射した光の光路を遮り、ファインダー視野内に侵入することを防止できる。しかも、レンズ面が凹状に形成され、下周面の光軸方向における長さが中央部から両側部に向かうにしたがって長くなるように構成された対物レンズにおいても、遮光板の高さを下周面の光軸方向での長さに応じて変化させ、中央部から離れるにしたがって高さが増すようにすることで、対物レンズの左右方向の全域において下周面による反射光の光路を遮ることができる。
【００１８】
また、対物レンズの焦点距離を短くするためにレンズ面の曲率を強くし、レンズ面の周縁部での厚さを増大させた場合においても、これに伴う下周面の長さの増大分に応じて遮光板の高さを高くするだけで反射光の光路を確実に遮ることができる。したがって、ファインダーの小型化を図りながらも、対物レンズの下周面で反射した光がファインダー視野内に侵入することを防止でき、フレア現象の発生を抑えることができる。
【図面の簡単な説明】
【図１】本発明を実施した逆ガリレオ式ファインダーの構成を示す概略図である。
【図２】図１に示した遮光板の形状を示す説明図である。
【図３】対物レンズの下周面の光軸方向における長さと、下周面で反射した光の稜線上の通過高さとの関係を示す説明図である。
【図４】逆ガリレオ式ファインダーに用いられる対物レンズの一般的な構成を示す斜視図である。
【図５】対物レンズのレンズ面の曲率と下周面の光軸方向における長さとの関係を示す説明図である。
【図６】図４に示した遮光板と対物レンズの下周面で反射された光の光路との位置関係を示す説明図であり、（Ａ）は下周面の中央部での位置関係を、（Ｂ）は下周面の側部での位置関係をそれぞれ表している。
【符号の説明】
５，１１  対物レンズ
５ｂ，１１ｂ  下周面
６，１３  レンズ基部
７，１４  レンズ面
８，１５  稜線
９，２０  遮光板
１０  逆ガリレオ式ファインダー
１２  接眼レンズ
【図１】
0003787428.tif 000002
【図２】
0003787428.tif 000003
【図３】
0003787428.tif 000004
【図４】
0003787428.tif 000005
【図５】
0003787428.tif 000006
【図６】
0003787428.tif 000007